(57)【要約】【課題】国際規格やＪＩＳ規格に準拠する磁気ストライプ付きのカードをその短手方向で搬送して処理する場合であっても、磁気データの読取精度や記録精度の低下を抑制することが可能なカードリーダを提供する。【解決手段】このカードリーダは、磁気ヘッド７と、搬送路５の幅方向へ磁気ヘッド７を移動させるとともに磁気ヘッド７がカード２に当接可能なヘッド当接位置と磁気ヘッド７が搬送路５から退避するヘッド退避位置との間で磁気ヘッド７を移動させるヘッド移動機構と、カード２の搬送方向におけるカード２の一端２ｄが当接してカード２が位置決めされる当接部６６ａとを備えている。搬送路５には、磁気ヘッド７が通過する開口部２８が形成され、当接部６６ａには、カード２の一方の面の側からカード２を支持する支持部６６ｃが形成されている。【選択図】図７
2014071603.tif 000002
【特許請求の範囲】
【請求項１】
略長方形状に形成されるカードを前記カードの短手方向に搬送して処理するカードリーダにおいて、
前記カードが搬送される搬送路と、前記カードの長手方向と平行にかつ前記カードの一方の面に形成される磁気ストライプに当接して前記カードに記録された磁気データの読取および前記カードへの磁気データの記録の少なくともいずれか一方を行う磁気ヘッドと、前記カードの搬送方向に直交する前記搬送路の幅方向へ前記磁気ヘッドを移動させるとともに前記磁気ヘッドが前記磁気ストライプに当接可能なヘッド当接位置と前記磁気ヘッドが前記搬送路から退避するヘッド退避位置との間で前記磁気ヘッドを移動させるヘッド移動機構と、前記カードの搬送方向における前記カードの一端が当接して前記カードが位置決めされる当接部とを備え、
前記搬送路には、前記搬送路の幅方向への前記磁気ヘッドの移動時に前記磁気ヘッドが通過する開口部が形成され、
前記当接部には、前記カードの一方の面の側から前記カードを支持する支持部が形成されていることを特徴とするカードリーダ。
【請求項２】
前記カードの他方の面に形成されるＩＣチップの外部接続端子に接触するＩＣ接点バネを有するＩＣ接点ブロックと、前記ＩＣ接点バネが前記外部接続端子に接触可能なバネ接触位置と前記ＩＣ接点バネが前記搬送路から退避するバネ退避位置との間で前記ＩＣ接点ブロックを移動させる接点ブロック移動機構とを備えることを特徴とする請求項１記載のカードリーダ。
【請求項３】
前記当接部が形成されるとともに前記搬送路の幅方向を回動の軸方向として回動可能な位置決め部材と、前記位置決め部材の動きを検知するセンサとを備え、
前記センサでの検知結果に基づいて、前記カードの搬送方向において前記カードが位置決めされたことを検知することを特徴とする請求項１または２記載のカードリーダ。
【請求項４】
前記カードを搬送するカード搬送機構と、前記搬送路から前記当接部を退避させる退避機構とを備え、
前記カード搬送機構は、前記カードの取込方向において前記当接部よりも奥側に配置され、前記カードに当接して前記カードを搬送する搬送ローラを備えることを特徴とする請求項１から３のいずれかに記載のカードリーダ。
【請求項５】
前記搬送路の幅方向から見たときに、前記支持部の前記搬送路側の端面は、前記カードの取込方向の手前側に向かうにしたがって前記搬送路から離れる方向へ傾斜する傾斜面となっていることを特徴とする請求項１から４のいずれかに記載のカードリーダ。
【請求項６】
前記カードの取込方向における前記当接部の手前側の端面には、前記搬送路の幅方向から見たときに、前記カードの取込方向の奥側に向かうにしたがって前記カードの厚さ方向の幅がしだいに狭くなる切欠き部が形成され、
前記カードの厚さ方向における前記切欠き部の一端側が前記支持部となっていることを特徴とする請求項１から５のいずれかに記載のカードリーダ。
【発明の詳細な説明】
【技術分野】
【０００１】
本発明は、略長方形状に形成されるカードをその短手方向に搬送して処理するカードリーダに関する。
【背景技術】
【０００２】
従来、磁気媒体に形成された磁気ストライプからの磁気データの読取と磁気ストライプへの磁気データの書込とを行う磁気ヘッド移動型の磁気ストライプ読取・書込装置が知られている（たとえば、特許文献１参照）。特許文献１に記載の磁気ストライプ読取・書込装置で処理される磁気媒体では、磁気媒体の搬送方向に対して直交する方向に磁気ストライプが形成されている。この磁気ストライプ読取・書込装置は、磁気ストライプが形成された方向へ磁気ヘッドを移動させるスライド機構と、磁気ヘッドの移動方向に直交する方向へ磁気媒体を搬送する搬送ローラとを備えている。また、この磁気ストライプ読取・書込装置では、磁気媒体の搬送路に、磁気ヘッド移動用の穴が形成されている。
【先行技術文献】
【特許文献】
【０００３】
【特許文献１】特開平９−１２８８７２号公報
【発明の概要】
【発明が解決しようとする課題】
【０００４】
磁気ストライプを有するカードの形状は、国際規格やＪＩＳ規格によって規定されており、四隅に丸みを持った略長方形状となっている。また、国際規格やＪＩＳ規格に準拠する磁気ストライプ付きのカードでは、磁気ストライプは、略長方形状に形成されるカードの長手方向に平行な細長い帯状に形成されている。また、カードの短手方向における磁気ストライプの位置も、国際規格やＪＩＳ規格によって規定されており、カードの短手方向におけるカードの一端を基準とする所定の範囲内に磁気ストライプが形成されている。
【０００５】
特許文献１に記載の磁気ストライプ読取・書込装置のように、磁気ストライプの方向と直交する方向に磁気媒体を搬送する装置で、国際規格やＪＩＳ規格に準拠した磁気ストライプ付きのカードを処理する場合、カードは、その短手方向に搬送される。また、上述のように、国際規格やＪＩＳ規格に準拠する磁気ストライプ付きのカードでは、カードの短手方向におけるカードの一端を基準とする所定の範囲内に磁気ストライプが形成されている。そのため、この装置で、国際規格やＪＩＳ規格に準拠した磁気ストライプ付きのカードを処理する場合には、磁気データの読取や書込を行う際の磁気ヘッドと磁気ストライプとの位置がずれて、磁気データの読取や書込の精度が低下するおそれがある。
【０００６】
そこで、本発明の課題は、国際規格やＪＩＳ規格に準拠する磁気ストライプ付きのカードをその短手方向で搬送して処理する場合であっても、磁気データの読取精度や記録精度の低下を抑制することが可能なカードリーダを提供することにある。
【課題を解決するための手段】
【０００７】
上記の課題を解決するため、本発明のカードリーダは、略長方形状に形成されるカードをカードの短手方向に搬送して処理するカードリーダにおいて、カードが搬送される搬送路と、カードの長手方向と平行にかつカードの一方の面に形成される磁気ストライプに当接してカードに記録された磁気データの読取およびカードへの磁気データの記録の少なくともいずれか一方を行う磁気ヘッドと、カードの搬送方向に直交する搬送路の幅方向へ磁気ヘッドを移動させるとともに磁気ヘッドが磁気ストライプに当接可能なヘッド当接位置と磁気ヘッドが搬送路から退避するヘッド退避位置との間で磁気ヘッドを移動させるヘッド移動機構と、カードの搬送方向におけるカードの一端が当接してカードが位置決めされる当接部とを備え、搬送路には、搬送路の幅方向への磁気ヘッドの移動時に磁気ヘッドが通過する開口部が形成され、当接部には、カードの一方の面の側からカードを支持する支持部が形成されていることを特徴とする。
【０００８】
本発明のカードリーダは、カードの搬送方向におけるカードの一端が当接してカードが位置決めされる当接部を備えている。そのため、本発明では、国際規格やＪＩＳ規格に準拠する磁気ストライプ付きのカードにおいて磁気ストライプの形成範囲の基準となるカードの短手方向におけるカードの一端を当接部に当接させてカードを位置決めした状態で、磁気ヘッドを移動させて磁気データの読取や記録を行うことが可能になる。したがって、本発明では、磁気データの読取や記録を行う際の磁気ヘッドと磁気ストライプとの位置合わせを精度良く行うことが可能になる。その結果、本発明では、国際規格やＪＩＳ規格に準拠する磁気ストライプ付きのカードをその短手方向で搬送して処理する場合であっても、磁気データの読取精度や記録精度の低下を抑制することが可能になる。
【０００９】
また、本発明では、カードの搬送方向におけるカードの一端が当接する当接部に、カードの一方の面の側からカードを支持する支持部が形成されている。そのため、本発明では、磁気ヘッドが通過する開口部が搬送路に形成されていても、カードの搬送方向における一端側が一方の面の側に向かって変形するカードがカードリーダ内に取り込まれたときに、変形したカードの一端側を支持部で支持することが可能になり、搬送路からのカードの一端側のずれ量を小さくすることが可能になる。したがって、本発明では、カードの搬送方向における一端側が一方の面の側に向かって変形するカードがカードリーダ内に取り込まれても、ヘッド退避位置からヘッド当接位置へ移動する磁気ヘッドがカードと当接するときのカードのばたつきを抑制することが可能になる。その結果、本発明では、カードの搬送方向における一端側が一方の面の側に向かって変形するカードがカードリーダ内に取り込まれても、磁気データの読取ジッタや記録ジッタの低下を抑制することが可能になり、磁気データの読取精度や記録精度の低下を抑制することが可能になる。
【００１０】
なお、本発明では、ヘッド移動機構によって、磁気ヘッドが搬送路から退避するヘッド退避位置へ磁気ヘッドを移動させることができるため、カードを搬送する際のカードの搬送抵抗を低減することが可能になるとともに、カードを搬送する際のカードの傷の発生を抑制することが可能になる。
【００１１】
本発明において、カードリーダは、たとえば、カードの他方の面に形成されるＩＣチップの外部接続端子に接触するＩＣ接点バネを有するＩＣ接点ブロックと、ＩＣ接点バネが外部接続端子に接触可能なバネ接触位置とＩＣ接点バネが搬送路から退避するバネ退避位置との間でＩＣ接点ブロックを移動させる接点ブロック移動機構とを備えている。本発明では、磁気ヘッドの移動時に磁気ヘッドが通過する開口部が搬送路に形成されているため、ＩＣ接点バネと外部接続端子とが接触する際のカードの支持力が弱くなって、ＩＣ接点バネと外部接続端子との接触圧が低下するおそれがある。しかし、本発明では、カードの一方の面の側からカードを支持する支持部が当接部に形成されているため、磁気ヘッドが通過する開口部が搬送路に形成されていても、ＩＣ接点バネと外部接続端子との接触時に支持部によってカードを支持することが可能になる。したがって、ＩＣ接点バネと外部接続端子との接触時のカードの支持力を確保することが可能になり、その結果、ＩＣ接点バネと外部接続端子との接触圧を確保することが可能になる。
【００１２】
本発明において、カードリーダは、当接部が形成されるとともに搬送路の幅方向を回動の軸方向として回動可能な位置決め部材と、位置決め部材の動きを検知するセンサとを備え、センサでの検知結果に基づいて、カードの搬送方向においてカードが位置決めされたことを検知することが好ましい。このように構成すると、当接部が形成される位置決め部材に加えて、カードの搬送方向においてカードが位置決めされたことを検知するための部材が設けられる場合と比較して、カードリーダの構成を簡素化することが可能になる。
【００１３】
本発明において、カードリーダは、カードを搬送するカード搬送機構と、搬送路から当接部を退避させる退避機構とを備え、カード搬送機構は、カードの取込方向において当接部よりも奥側に配置され、カードに当接してカードを搬送する搬送ローラを備えることが好ましい。このように構成すると、当接部を退避させれば、搬送ローラによって、カードの取込方向における奥側へカードを搬送することが可能になる。したがって、カードの取込方向におけるカードリーダの奥側で、カードに対する各種の処理を行ったり、カードを回収したりすることが可能になる。
【００１４】
本発明において、搬送路の幅方向から見たときに、支持部の搬送路側の端面は、カードの取込方向の手前側に向かうにしたがって搬送路から離れる方向へ傾斜する傾斜面となっていることが好ましい。このように構成すると、カードの搬送方向における一端側が一方の面の側に向かって変形するカードがカードリーダ内に取り込まれても、当接部の、カードが当接すべき部分に向かって、カードの一端を案内することが可能になる。
【００１５】
本発明において、カードの取込方向における当接部の手前側の端面には、搬送路の幅方向から見たときに、カードの取込方向の奥側に向かうにしたがってカードの厚さ方向の幅がしだいに狭くなる切欠き部が形成され、カードの厚さ方向における切欠き部の一端側が支持部となっていることが好ましい。このように構成すると、カードの搬送方向における一端側が一方の面の側に向かって変形するカードや、カードの搬送方向における一端側が他方の面の側に向かって変形するカードがカードリーダ内に取り込まれても、当接部の、カードが当接すべき部分に向かって、カードの一端を案内することが可能になる。
【発明の効果】
【００１６】
以上のように、本発明のカードリーダでは、国際規格やＪＩＳ規格に準拠する磁気ストライプ付きのカードをその短手方向で搬送して処理する場合であっても、磁気データの読取精度や記録精度の低下を抑制することが可能になる。
【図面の簡単な説明】
【００１７】
【図１】本発明の実施の形態にかかるカードリーダの斜視図である。
【図２】図１に示すカードリーダの概略構成を側面から説明するための図である。
【図３】図１に示すカードの平面図である。
【図４】図２に示すヘッド移動機構の構成を上面から説明するための図である。
【図５】図２に示すヘッド移動機構の構成を正面から説明するための図である。
【図６】図２に示すＩＣ接点ブロックを駆動する接点ブロック移動機構を正面から説明するための図である。
【図７】図２に示す位置決め機構の位置決め部材およびその周辺部分の構成を側面から説明するための図である。
【図８】図２に示す位置決め機構およびその周辺部分の構成を側面から説明するための図である。
【図９】図２に示す位置決め機構の構成を上面から説明するための図である。
【図１０】図２に示すＩＣ接点ブロックとカードとの間でデータの通信を行っているときの状態を側面から説明するための図である。
【図１１】本発明の他の実施の形態にかかる位置決め部材を側面から説明するための図である。
【発明を実施するための形態】
【００１８】
以下、図面を参照しながら、本発明の実施の形態を説明する。
【００１９】
（カードリーダの概略構成）
図１は、本発明の実施の形態にかかるカードリーダ１の斜視図である。図２は、図１に示すカードリーダ１の概略構成を側面から説明するための図である。図３は、図１に示すカード２の平面図である。
【００２０】
本形態のカードリーダ１は、カード２に記録されたデータの読取およびカード２へのデータの記録の少なくとも一方を行うための装置であり、ＡＴＭ（Ａｕｔｏｍａｔｅｄ  Ｔｅｌｌｅｒ  Ｍａｃｈｉｎｅ）等の所定の上位装置に搭載されて使用される。このカードリーダ１は、カード２が挿入される挿入口３が形成されるカード挿入部４を備えている。図２に示すように、カードリーダ１の内部には、カード２が搬送される搬送路５が形成されている。搬送路５は、挿入口３に繋がるように形成されている。
【００２１】
また、カードリーダ１は、カード２を搬送するカード搬送機構６と、カード２に当接してカード２に記録された磁気データの読取やカード２への磁気データの記録を行う磁気ヘッド７と、カード２の搬送方向に直交する方向へ磁気ヘッド７を移動させるヘッド移動機構８と、カード２に形成される後述の端子部２ｂに接触してデータの通信を行うためのＩＣ接点ブロック９と、ＩＣ接点ブロック９を移動させる接点ブロック移動機構１０（図６参照）と、カードリーダ１内に取り込まれたカード２を位置決めするための位置決め機構１１とを備えている。
【００２２】
カード２は、厚さが０．７〜０．８ｍｍ程度の塩化ビニール製のカードである。本形態のカード２は、国際規格（たとえば、ＩＳＯ／ＩＥＣ７８１１）やＪＩＳ規格（たとえば、ＪＩＳＸ６３０２）に準拠した磁気ストライプ付きのカードであり、四隅に丸みを持った略長方形状に形成されている。カード２の裏面には、磁気データが記録される磁気ストライプ２ａが形成されている。また、カード２は、接触式のＩＣカードである。すなわち、カード２には、ＩＣチップ（図示省略）が内蔵され、カード２のおもて面には、８個の外部接続端子からなる端子部２ｂが形成されている。カード２の一部は、エンボス加工が施されるエンボス加工領域２ｃとなっている。すなわち、カード２には、エンボス加工が施されるエンボス加工領域２ｃが画定されている。
【００２３】
磁気ストライプ２ａは、略長方形状に形成されるカード２の長手方向（図３のＵ方向）に平行な細長い帯状に形成されている。この磁気ストライプ２ａは、カード２の長手方向の全域に形成されている。また、磁気ストライプ２ａは、カード２の短手方向（図３のＶ方向）において、カード２の短手方向における一端２ｄ側に形成されている。具体的には、国際規格やＪＩＳ規格に基づいて、磁気ストライプ２ａは、カード２の短手方向において、カード２の一端２ｄを基準とする所定の範囲内に形成されている。
【００２４】
端子部２ｂは、カード２の長手方向における一端側、かつ、カード２の短手方向における略中間位置に形成されている。端子部２ｂを構成する８個の外部接続端子は、カード２の短手方向において４行、かつ、カード２の長手方向において２列に配列されている。エンボス加工領域２ｃは、カード２の短手方向における他端２ｅ側に配置されている。また、カード２の長手方向における両端側を除く所定の範囲がエンボス加工領域２ｃとなっている。エンボス加工領域２ｃにエンボス加工されて形成される文字や数字等は、おもて面側に突出している。
【００２５】
本形態では、図１等に示すＸ方向でカード２が搬送される。具体的には、Ｘ１方向にカード２が取り込まれ、Ｘ２方向にカード２が排出される。すなわち、Ｘ方向は、カード２の搬送方向であり、Ｘ１方向は、カード２の取込方向であり、Ｘ２方向は、カード２の排出方向である。また、本形態では、カード２の短手方向とＸ方向とが一致するように、カードリーダ１にカード２が取り込まれる。また、カード２の短手方向とＸ方向とが一致するように、カードリーダ１内でカード２が搬送される。すなわち、カードリーダ１は、カード２の短手方向でカード２を搬送して所定の処理を行う。
【００２６】
また、Ｘ方向に直交するＹ方向は、搬送路５の幅方向であり、カードリーダ１内に正しい姿勢で取り込まれたカード２の長手方向である。また、Ｘ方向とＹ方向とに直交する図１等のＺ方向は、カードリーダ１内に取り込まれたカード２の厚さ方向である。本形態では、Ｚ方向と鉛直方向とが一致するようにカードリーダ１が配置されている。なお、以下の説明では、Ｘ方向を「前後方向」、Ｙ方向を「左右方向」、Ｚ方向を「上下方向」とし、また、Ｘ１方向側を「奥（後ろ）」側、Ｘ２方向側を「前」側、Ｙ１方向側を「右」側、Ｙ２方向側を「左」側、Ｚ１方向側を「上」側、Ｚ２方向側を「下」側とする。
【００２７】
（カード挿入部の構成）
カード挿入部４は、カードリーダ１の前面側部分を構成している。このカード挿入部４は、挿入口３の奥側に配置されるシャッタ部材１４、１５と、カード２の短手方向が前後方向と一致するようにカードリーダ１にカード２が挿入されたこと（すなわち、挿入口３にカード２が挿入されたこと）を検知する挿入検知機構１６と、カード２に磁気データが記録されていることを検知する磁気センサ１７、１８と、カード２にＩＣチップの外部接続端子が固定されていること（すなわち、端子部２ｂが固定されていること）を検知する金属センサ１９と、カードリーダ１の前方の人間の動きを検知する人体検知用の赤外線センサ２０とを備えている。
【００２８】
シャッタ部材１４は、カード挿入部４の奥端に配置されている。このシャッタ部材１４は、搬送路５に配置されて搬送路５を閉鎖する閉鎖位置と、搬送路５の下側に退避して搬送路５を開放する開放位置との間で移動可能となっている。シャッタ部材１４には、ソレノイド等を有するシャッタ部材１４の駆動機構が連結されている。
【００２９】
シャッタ部材１５は、シャッタ部材１４よりも前側に配置されている。本形態のシャッタ部材１５は、左右方向を回転の軸方向として回転可能なローラである。このシャッタ部材１５は、搬送路５に配置されて搬送路５を閉鎖する閉鎖位置と、搬送路５の下側に退避して搬送路５を開放する開放位置との間で移動可能となっている。本形態のシャッタ部材１５は、図示を省略する付勢部材によって閉鎖位置へ付勢されており、挿入口３から挿入されたカード２がシャッタ部材１５に接触すると、シャッタ部材１５が開放位置へ移動する。また、カード挿入部４は、シャッタ部材１５が開放位置に移動したことを検知するためのセンサ２１を備えている。
【００３０】
挿入検知機構１６は、前後方向において、シャッタ部材１５と略同じ位置に配置されている。この挿入検知機構１６は、カード挿入部４の左右の両端側に配置され搬送路５に出没可能な２個の検知レバーと、２個の検知レバーのそれぞれの動きを検知する２個のセンサとを備えている。カードリーダ１にカード２が挿入される前の待機時には、検知レバーの一部が搬送路５内に配置されている。この状態で、カード２の短手方向が前後方向と一致するようにカード２が挿入口３から挿入されると、２個の検知レバーのそれぞれに、カード２の左右両端のそれぞれが接触して、検知レバーが回動する。そのため、２個のセンサでの検知結果に基づいて、カード２の短手方向が前後方向と一致するようにカード２が挿入口３から挿入されたことが検知される。
【００３１】
磁気センサ１７、１８は、たとえば、フラックスゲートセンサである。この磁気センサ１７、１８は、磁性体からの距離に応じたレベルの出力信号を出力する。また、磁気センサ１７、１８は、挿入口３から挿入されたカード２を上下方向で挟むように配置されている。本形態では、カード２の短手方向が前後方向と一致するように、かつ、カード２の裏面を下側に向けた状態で、カード２が挿入口３から挿入されると、磁気センサ１８から出力される出力信号のレベルが磁気センサ１７から出力される出力信号のレベルよりも高くなる。一方、カード２の短手方向が前後方向と一致するように、かつ、カード２のおもて面を下側に向けた状態で、カード２が挿入口３から挿入されると、磁気センサ１７からの出力信号のレベルが磁気センサ１８からの出力信号のレベルよりも高くなる。したがって、磁気センサ１７からの出力信号のレベルと磁気センサ１８からの出力信号のレベルとを比較することで、カード２が裏面を下側に向けた状態で、挿入口３から挿入されたのか、それとも、カード２がおもて面を下側に向けた状態で、挿入口３から挿入されたのかが検知される。
【００３２】
金属センサ１９は、励磁用コイルと、検出用コイルと、励磁用コイルおよび検出用コイルが巻回されるコアとを備える磁気式のセンサである。この金属センサ１９は、前後方向において、磁気センサ１７、１８よりもわずかに前側に配置されている。また、金属センサ１９は、左右方向において、正しい姿勢で挿入されたカード２の端子部２ｂが通過する位置に配置されている。本形態では、カード２が裏面を下側に向けた状態で、カード２の短手方向における一端２ｄ側から挿入されると、金属センサ１９によってカード２の端子部２ｂが検知される。また、カード２がおもて面を下側に向けた状態で、カード２の短手方向における他端２ｅ側から挿入されても、金属センサ１９によってカード２の端子部２ｂが検知される。そのため、磁気センサ１７、１８での検知結果と金属センサ１９での検知結果に基づいて、カード２の一端２ｄ側からカード２が挿入されたのか、それとも、カード２の他端２ｅ側からカード２が挿入されたのかが検知される。
【００３３】
赤外線センサ２０は、焦電型の赤外線センサであり、焦電効果によって赤外線を含む光を検知する焦電素子を備えている。この赤外線センサ２０は、上述のように、カードリーダ１の前方の人間の動きを検知する。具体的には、赤外線センサ２０は、カードリーダ１の前方の人間の手等の動きを検知する。また、赤外線センサ２０は、カードリーダ１の前方の人間が発生する赤外線に基づいて、カードリーダ１の前方の人間の体温と赤外線センサ２０の検知範囲内における人間の周囲の温度との差等を検知することで、カードリーダ１の前方の人間の動きを検知する。図１に示すように、赤外線センサ２０は、カード挿入部４の前面側に配置されている。
【００３４】
（カード搬送機構の構成および搬送路の構成）
搬送路５は、前後方向におけるカードリーダ１の略全域に形成されている。カード搬送機構６は、カード２の上面に当接してカード２を搬送する搬送ローラ３１〜３３と、下側から搬送ローラ３１〜３３に対向配置されるパッドローラ３４〜３６とを備えている。搬送ローラ３１は、カード挿入部４の内部に配置されている。具体的には、搬送ローラ３１は、シャッタ部材１４よりも前側に配置されている。搬送ローラ３２、３３は、カード挿入部４の奥側に配置されるカードリーダ１の本体部３７の内部に配置されている。具体的には、搬送ローラ３２は、前後方向において、磁気ヘッド７およびＩＣ接点ブロック９よりも前側に配置されるとともにシャッタ部材１４よりも奥側に配置されている。また、搬送ローラ３３は、位置決め機構１１を構成する後述の位置決め部材６６の当接部６６ａよりも奥側に配置されている。搬送ローラ３１〜３３は、搬送路５の左右の両端側のそれぞれに配置されている。搬送ローラ３１〜３３には、ベルト、プーリおよび歯車列等によって構成される動力伝達機構３８を介してモータ３９が連結されている。
【００３５】
パッドローラ３４は、搬送ローラ３１に向かって付勢されており、下側からカード２に当接可能となっている。パッドローラ３５は、搬送ローラ３２に向かって付勢されており、下側からカード２に当接可能となっている。パッドローラ３６は、搬送ローラ３３に向かって付勢されており、下側からカード２に当接可能となっている。上述のように、搬送ローラ３１〜３３は、搬送路５の左右の両端側のそれぞれに配置されており、カード２の長手方向における両端側の上面に搬送ローラ３１〜３３が当接し、カード２の長手方向における両端側の下面にパッドローラ３４〜３６が当接する。具体的には、搬送ローラ３１〜３３およびパッドローラ３４〜３６は、カード２の長手方向における両端側であって、かつ、エンボス加工領域２ｃを避けた部分に当接する。なお、搬送ローラ３１〜３３がカード２の下面に当接し、パッドローラ３４〜３６が上側から搬送ローラ３１〜３３に対向配置されても良い。
【００３６】
本体部３７の内部には、カード２の下面を案内するガイド部材２６、２７が配置されている。後述のように、磁気ヘッド７は、前後方向において、搬送ローラ３２およびパッドローラ３５と、搬送ローラ３３およびパッドローラ３６との間に配置されており、ガイド部材２６は、前後方向において、搬送ローラ３２およびパッドローラ３５と磁気ヘッド７との間に配置されている。また、ガイド部材２７は、前後方向において、磁気ヘッド７よりも奥側に配置されるとともに、位置決め機構１１と略同じ位置に配置されている。
【００３７】
本形態では、２個のガイド部材２６が搬送路５の左右の両端側のそれぞれに配置されている（図６参照）。また、ガイド部材２７は、左右に所定の間隔をあけた状態で配置される２個のガイド部２７ａを備えている。ガイド部材２６の上面およびガイド部２７ａの上面は、搬送路５の下面の一部を構成している。搬送路５の下面の、ガイド部材２６とガイド部２７ａとの間は、開口部２８となっている。すなわち、搬送路５には、開口部２８が形成されている。開口部２８は、左右方向における搬送路５の略全域に形成されている。なお、ガイド部２７ａは、搬送ローラ３３およびパッドローラ３６に向かってカード２を案内する機能を果たしている。ガイド部２７ａの上面の前端側は、前側に向かうにしたがって下方向へ傾斜する傾斜面となっている。
【００３８】
（ヘッド移動機構の構成および磁気ヘッドの周辺部分の構成）
図４は、図２に示すヘッド移動機構８の構成を上面から説明するための図である。図５は、図２に示すヘッド移動機構８の構成を正面から説明するための図である。
【００３９】
磁気ヘッド７は、前後方向において、搬送ローラ３２およびパッドローラ３５と、搬送ローラ３３およびパッドローラ３６との間に配置されている。また、上述のように、磁気ヘッド７は、前後方向において、ガイド部材２６とガイド部材２７との間に配置されている。
【００４０】
ヘッド移動機構８は、磁気ヘッド７が搭載されるキャリッジ４２と、左右方向へキャリッジ４２を案内するガイド軸４３と、キャリッジ４２を左右方向へ送るリードスクリュー４４と、磁気ヘッド７を上下動させるためのカム板４５と、ガイド軸４３を中心とするキャリッジ４２の回動を防止するための回動防止軸４６とを備えている。キャリッジ４２は、キャリッジ本体４７と、磁気ヘッド７を保持するヘッド保持部材４８とを備えている。キャリッジ本体４７には、リードスクリュー４４に係合するメネジ部材４９と、ガイド軸４３に係合する摺動軸受５０と、回動防止軸４６に係合する摺動部材５１とが取り付けられている。リードスクリュー４４には、プーリおよびベルトから構成される動力伝達機構５２を介してモータ５３が連結されている。
【００４１】
キャリッジ本体４７には、ヘッド保持部材４８を回動可能に保持する固定軸５４が左右方向を軸方向として固定されている。キャリッジ本体４７とヘッド保持部材４８との間には、ネジリコイルバネ５５が配置されており、ヘッド保持部材４８は、ネジリコイルバネ５５の付勢力によって、固定軸５４を中心にして、磁気ヘッド７が上昇する方向へ付勢されている。カム板４５は、左右方向に細長い長尺状に形成されており、ヘッド保持部材４８には、左右方向におけるカム板４５の両端側に形成されるカム４５ａに当接するローラ５６が回転可能に取り付けられている。
【００４２】
本形態では、モータ５３が駆動して、リードスクリュー４４が回転すると、ガイド軸４３に沿って、磁気ヘッド７がキャリッジ４２とともに左右方向へ移動する。左右方向における両端側では、カム４５ａにローラ５６が当接しており、図５の二点鎖線で示すように、磁気ヘッド７は、ネジリコイルバネ５５の付勢力に抗して搬送路５よりも下側へ退避している。すなわち、左右方向へ移動する磁気ヘッド７は、左右方向の両端側においては、搬送路５から退避するヘッド退避位置にある。
【００４３】
一方、磁気ヘッド７がキャリッジ４２とともに左右方向へ移動して、カム４５ａからローラ５６が外れると、カム４５ａによって搬送路５よりも下側に退避するように案内されていた磁気ヘッド７がネジリコイルバネ５５の付勢力で上昇して、カード２の磁気ストライプ２ａに当接可能になる。すなわち、カム４５ａからローラ５６が外れているときには、磁気ヘッド７は、磁気ストライプ２ａに当接可能なヘッド当接位置にある。磁気ヘッド７が磁気ストライプ２ａに当接しながら、キャリッジ４２が左右方向へ移動することで、磁気ヘッド７によって磁気データの読取や記録が行われる。磁気ヘッド７が左右方向へ移動する際には、磁気ヘッド７は、開口部２８を通過する。
【００４４】
このように、ヘッド移動機構８は、磁気ヘッド７を左右方向へ移動させるとともに、磁気ヘッド７が磁気ストライプ２ａに当接可能なヘッド当接位置と磁気ヘッド７が搬送路５から退避するヘッド退避位置との間で磁気ヘッド７を移動させる。なお、磁気ヘッド７は、所定のケーブルを介して、カードリーダ１の制御基板に接続されている。
【００４５】
磁気ヘッド７の上側には、ヘッド当接位置にある磁気ヘッド７とカード２とを所定の当接圧で当接させるための対向面５７ａを有する対向部材５７が配置されている。この対向部材５７は、カードリーダ１の本体部３７のフレームに固定されている。対向面５７ａは、上下方向に直交する平面状に形成されている。また、対向面５７ａは、左右方向に細長い略長方形の平面状に形成されている。左右方向における対向面５７ａの幅は、左右方向における磁気ヘッド７の移動範囲と略等しくなっている。また、前後方向における対向面５７ａの幅は、前後方向における磁気ヘッド７の幅と略等しくなっている。
【００４６】
磁気ヘッド７がヘッド当接位置にあるときには、図５に示すように、対向面５７ａと磁気ヘッド７との間にカード２が挟まれている。このときには、正しい姿勢で挿入されたカード２の磁気ストライプ２ａに磁気ヘッド７が所定の当接圧で当接しており、カード２の上面（具体的には、カード２のおもて面）は、対向面５７ａに所定の当接圧で当接している。なお、対向面５７ａは、カードリーダ１の本体部３７における搬送路５の上面の一部を構成している。
【００４７】
（ＩＣ接点ブロックの構成および接点ブロック移動機構の構成）
図６は、図２に示すＩＣ接点ブロック９を駆動する接点ブロック移動機構１０を正面から説明するための図である。
【００４８】
ＩＣ接点ブロック９は、図６に示すように、カード２の端子部２ｂを構成する外部接続端子のそれぞれに接触する複数のＩＣ接点バネ５９と、ＩＣ接点バネ５９を保持するバネ保持部材６０と、ＩＣ接点バネ５９が接続される基板６１とを備えている。複数のＩＣ接点バネ５９は、前後方向から見たときに２列に配列されている。基板６１は、バネ保持部材６０に固定されている。ＩＣ接点ブロック９は、前後方向において、搬送ローラ３２およびパッドローラ３５と磁気ヘッド７との間に配置されている。また、ＩＣ接点ブロック９は、左右方向において、搬送路５の左端側に配置されるとともに、搬送路５の上側に配置されている。ＩＣ接点ブロック９の下側には、２個のガイド部材２６のうちの左端側に配置されるガイド部材２６が配置されている。
【００４９】
接点ブロック移動機構１０は、ＩＣ接点ブロック９が固定されるブロック保持部材６２とソレノイド６３とを備えている。ブロック保持部材６２は、前後方向を軸方向として本体部３７のフレームに固定される固定軸６４に回動可能に保持されている。ソレノイド６３のプランジャ６３ａには、固定ピン６５が固定されている。固定ピン６５は、ブロック保持部材６２に形成される係合溝６２ａに係合している。ソレノイド６３は、プランジャ６３ａが左右方向へ移動するように配置されている。ソレノイド６３の本体６３ｂとプランジャ６３ａとの間には、図示を省略する圧縮コイルバネが配置されており、この圧縮コイルバネの付勢力でプランジャ６３ａは、本体６３ｂから突出する方向に付勢されている。
【００５０】
この圧縮コイルバネの付勢力でプランジャ６３ａが本体６３ｂから突出しているときには、図６（Ａ）に示すように、ＩＣ接点ブロック９が搬送路５の上側へ退避している。すなわち、このときには、ＩＣ接点ブロック９は、ＩＣ接点バネ５９が搬送路５から退避するバネ退避位置にある。この状態で、ソレノイド６３が駆動すると、圧縮コイルバネの付勢力に抗して、プランジャ６３ａが本体６３ｂ側に引き込まれて、図６（Ｂ）に示すように、ＩＣ接点ブロック９が下降する。ＩＣ接点ブロック９が下降すると、ＩＣ接点バネ５９が端子部２ｂを構成する外部接続端子に接触可能となる。すなわち、ソレノイド６３が駆動して、プランジャ６３ａが本体６３ｂ側に引き込まれているときには、ＩＣ接点ブロック９は、ＩＣ接点バネ５９が外部接続端子に接触可能なバネ接触位置にある。このように、接点ブロック移動機構１０は、ＩＣ接点バネ５９が外部接続端子に接触可能なバネ接触位置と、ＩＣ接点バネ５９が搬送路５から退避するバネ退避位置との間でＩＣ接点ブロック９を移動させる。
【００５１】
（位置決め機構の構成）
図７は、図２に示す位置決め機構１１の位置決め部材６６およびその周辺部分の構成を側面から説明するための図である。図８は、図２に示す位置決め機構１１およびその周辺部分の構成を側面から説明するための図である。図９は、図２に示す位置決め機構１１の構成を上面から説明するための図である。
【００５２】
位置決め機構１１は、カードリーダ１内に取り込まれたカード２の奥端が当接する当接部６６ａが形成された２個の位置決め部材６６と、搬送路５から当接部６６ａを退避させる退避機構６７とを備えている。退避機構６７は、位置決め部材６６を回動可能に保持するリンク部材６８と、ソレノイド６９とを備えている。また、位置決め機構１１は、回動可能な位置決め部材６６の動きを検知するセンサ７０と、位置決め部材６６を付勢する引張りコイルバネ７１（図８（Ａ）参照）と、当接部６６ａが搬送路５から退避していることを検知するセンサ７２とを備えている。センサ７０、７２は、発光素子とこの発光素子からの光を受光する受光素子とを備える透過型の光学式センサである。
【００５３】
位置決め部材６６は、平板状に形成されている。この位置決め部材６６は、上述の当接部６６ａに加えて、当接部６６ａの上端から略上側に向かって延びる腕部６６ｂを備えている。２個の位置決め部材６６は、左右方向に所定の間隔をあけた状態で配置されている。また、位置決め部材６６は、リンク部材６８を構成する後述の保持部６８ａに固定される固定軸７４に回動可能に保持されている。固定軸７４は、左右方向を軸方向としてリンク部材６８に固定されている。位置決め部材６６は、当接部６６ａと腕部６６ｂとの境界部で固定軸７４に回動可能に保持されている。位置決め部材６６の回動範囲は、リンク部材６８等に形成されるストッパ（図示省略）によって規制されている。
【００５４】
当接部６６ａは、上下方向に細長い略長方形状に形成されている。この当接部６６ａは、前後方向において、磁気ヘッド７よりも奥側に配置されている。また、当接部６６ａは、前後方向において、搬送ローラ３３およびパッドローラ３６よりも前側に配置されている。当接部６６ａの前端側には、当接部６６ａに当接するカード２を下面側から支持する支持部６６ｃが形成されている。支持部６６ｃは、当接部６６ａの下端側に形成されている。また、支持部６６ｃは、左右方向から見たときの形状が略台形状（具体的には、略等脚台形状）となるように形成されており、カード２が当接する当接面６６ｄよりも前側へ突出している。当接面６６ｄは、ガイド部２７ａの上面の前端側に形成される傾斜面の上側に配置されている。支持部６６ｃの上端面は、前側に向かうにしたがって下方向へ傾斜する傾斜面となっている。すなわち、支持部６６ｃの上端面は、左右方向から見たときに、前側に向かうにしたがって搬送路５から離れる方向へ傾斜する傾斜面となっている。腕部６６ｂの上端側には、センサ７０の発光素子と受光素子との間を遮る遮光部６６ｅが形成されている。遮光部６６ｅの下側には、引張りコイルバネ７１の一端が係合するバネ係合部６６ｆが形成されている。引張りコイルバネ７１の他端は、本体部３７のフレームに固定されている。
【００５５】
本形態では、当接部６６ａにカード２が当接していないときには、引張りコイルバネ７１の付勢力によって、位置決め部材６６は、固定軸７４を中心にして図７の反時計回りの方向（反時計方向）へ付勢されている（図７（Ａ）参照）。このときには、当接面６６ｄは、上下方向に対して、たとえば、２〜３°程度傾いている。この状態で、挿入口３から挿入されカード搬送機構６によって奥側へ搬送されたカード２の奥端が当接部６６ａに当接すると、図７（Ｂ）に示すように、当接部６６ａがカード２に押されて、位置決め部材６６が固定軸７４を中心にして図７の時計回りの方向へ回動し、図示を省略するストッパに当接する。位置決め部材６６がストッパに当接すると、前後方向において、カード２が位置決めされる。このときには、当接面６６ｄは、上下方向と略平行になっている。また、このときには、たとえば、支持部６６ｃと当接面６６ｄとの境界部にカード２が当接している。
【００５６】
カード２の奥端が当接部６６ａに当接してカード２が位置決めされているときの、前後方向における搬送ローラ３２の中心と当接面６６ｄとの距離Ｌ（図７（Ｂ）参照）は、カード２の短手方向の幅Ｗ１よりも短くなっている。また、前後方向におけるシャッタ部材１４と当接面６６ｄとの距離は、カード２の短手方向の幅Ｗ１よりも長くなっている。なお、前後方向における搬送ローラ３２の中心と搬送ローラ３３の中心との距離は、カード２の短手方向の幅Ｗ１よりもわずかに短くなっている。
【００５７】
図７（Ａ）に示すように、当接部６６ａにカード２が当接していないときには、遮光部６６ｅは、センサ７０の発光素子と受光素子との間から外れている。一方、図７（Ｂ）に示すように、カード２の奥端が当接部６６ａに当接しているときには、遮光部６６ｅは、センサ７０の発光素子と受光素子との間を遮っている。そのため、センサ７０の発光素子から受光素子へ向かう光が遮光部６６ｅによって遮られることで、前後方向においてカード２が位置決めされたことが検知される。すなわち、センサ７０での検知結果に基づいて、前後方向においてカード２が所定位置に位置決めされたことが検知される。
【００５８】
リンク部材６８は、図９に示すように、位置決め部材６６を保持する平板状の２個の保持部６８ａと、２個の保持部６８ａ同士を繋ぐ平板状の連結部６８ｂとを備えている。２個の保持部６８ａは、左右方向に所定の間隔をあけた状態で配置されており、リンク部材６８の左右の両端側部分を構成している。保持部６８ａの奥端側かつ下端側は、左右方向を軸方向として固定される固定軸７５に回動可能に支持されている。保持部６８ａの前端側には、固定軸７４が固定されている。
【００５９】
ソレノイド６９は、そのプランジャ６９ａが前後方向へ移動するように配置されている。プランジャ６９ａには、固定ピン７６が固定されている。固定ピン７６は、右側に配置される保持部６８ａの奥端側に係合している。ソレノイド６９の本体６９ｂとプランジャ６９ａとの間には、図示を省略する圧縮コイルバネが配置されており、この圧縮コイルバネの付勢力でプランジャ６９ａは、本体６９ｂから突出する方向に付勢されている。
【００６０】
図８（Ａ）に示すように、この圧縮コイルバネの付勢力でプランジャ６９ａが本体６９ｂから突出しているときには、カード２の奥端が当接部６６ａに当接可能となっている。すなわち、このときには、当接部６６ａは、カード２の奥端が当接可能な当接位置にある。この状態で、ソレノイド６９が駆動すると、圧縮コイルバネの付勢力に抗して、プランジャ６９ａが本体６９ｂ側に引き込まれ、リンク部材６８が固定軸７５を中心にして図８の反時計方向へ回動する。リンク部材６８が反時計方向へ回動すると、図８（Ｂ）に示すように、当接部６６ａが搬送路５から上側へ退避して搬送ローラ３３およびパッドローラ３６に向かってカード２が通過可能になる。すなわち、プランジャ６９ａが本体６９ｂ側に引き込まれているときには、当接部６６ａは、搬送路５から退避する退避位置にあり、搬送ローラ３３およびパッドローラ３６に向かってカード２が通過可能となっている。本形態では、位置決め部材６６は、通常、当接位置にあり、所定の処理を行う場合に、退避位置へ移動する。
【００６１】
図８（Ａ）に示すように、当接部６６ａが当接位置にあるときには、遮光部６６ｅは、センサ７２の発光素子と受光素子との間から外れている。一方、図８（Ｂ）に示すように、当接部６６ａが退避位置にあるときには、遮光部６６ｅは、センサ７２の発光素子と受光素子との間を遮っている。そのため、センサ７２の発光素子から受光素子へ向かう光が遮光部６６ｅによって遮られることで、当接部６６ａが搬送路５から退避していることが検知される。すなわち、センサ７２での検知結果に基づいて、当接部６６ａが搬送路５から退避していることが検知される。
【００６２】
（カードリーダの概略動作）
図１０は、図２に示すＩＣ接点ブロック９とカード２との間でデータの通信を行っているときの状態を側面から説明するための図である。
【００６３】
以上のように構成されたカードリーダ１では、挿入口３からカード２が挿入される前の待機時には、シャッタ部材１４は閉鎖位置にあり、搬送路５を閉鎖している。また、この待機時には、磁気ヘッド７は、搬送路５から退避したヘッド退避位置にあり、ＩＣ接点ブロック９は、搬送路５から退避したバネ退避位置にある。
【００６４】
シャッタ部材１４は、センサ２１での検知結果に基づいて挿入口３からカード２が挿入されたことが検知され、挿入検知機構１６を構成するセンサでの検知結果に基づいてカード２の短手方向が前後方向と一致するようにカード２が挿入口３から挿入されたことが検知されるとともに、磁気センサ１７、１８および金属センサ１９での検知結果に基づいて、端子部２ｂを有し磁気データが記録されたカード２が裏面を下側に向けた状態で、カード２の一端２ｄ側から挿入されたことが検知されると、開放位置へ移動する。すなわち、正規のカード２が正しい姿勢で挿入口３から挿入されたことが検知されると、シャッタ部材１４が開放位置へ移動する。
【００６５】
また、正規のカード２が正しい姿勢で挿入口３から挿入されたことが検知されると、モータ３９が起動して、カード搬送機構６がカード２を奥側へ搬送する。カード２の一端２ｄが位置決め部材６６の当接部６６ａに当接すると、センサ７０の発光素子から受光素子へ向かう光が遮光部６６ｅによって遮られて、前後方向において、カード２が位置決めされたことが検知される。カード２が位置決めされたことが検知されると、モータ３９が停止する。本形態では、カード２の一端２ｄが当接部６６ａに当接すると、シャッタ部材１４の奥側にカード２の全体が取り込まれるため、カード２の一端２ｄが当接部６６ａに当接して、前後方向においてカード２が位置決めされたことが検知されると、シャッタ部材１４は、閉鎖位置に移動して、搬送路５を閉鎖する。
【００６６】
また、その後、モータ５３が起動し、磁気ヘッド７がカード２の磁気ストライプ２ａに当接しながら左右方向へ移動して、磁気データの読取や記録を行う。上述のように、前後方向における搬送ローラ３２の中心と当接面６６ｄとの距離Ｌは、カード２の短手方向の幅Ｗ１よりも短くなっており、カード２の一端２ｄが当接面６６ｄに当接している状態では、カード２の前端側は、搬送ローラ３２とパッドローラ３５との間に挟まれている。本形態では、カード搬送機構６が、カード２の一端２ｄを当接面６６ｄに押し付けた状態で、搬送ローラ３２とパッドローラ３５との間にカード２を保持しながら、磁気ヘッド７が左右方向へ移動して、磁気データの読取や記録を行う。
【００６７】
また、ソレノイド６３が起動し、カード２の端子部２ｂを構成する外部接続端子にＩＣ接点バネ５９を接触させてカード２との間でデータの通信を行う。このときには、カード２の一端２ｄを当接面６６ｄに押し付けた状態で、搬送ローラ３２とパッドローラ３５との間にカード２を保持しながら、ＩＣ接点ブロック９を下降させて、外部接続端子にＩＣ接点バネ５９を接触させる。
【００６８】
カード２の外部接続端子とＩＣ接点バネ５９との接触時には、図６（Ｂ）、図１０に示すように、磁気ヘッド７は、ヘッド当接位置にあり、カード２の下面（裏面）に当接している。すなわち、カード２の外部接続端子とＩＣ接点バネ５９との接触時には、モータ５３が起動して、磁気ヘッド７がヘッド退避位置からヘッド当接位置へ移動する。本形態では、図６（Ｂ）に示すように、カード２の外部接続端子とＩＣ接点バネ５９との接触時に、前後方向から見ると、ＩＣ接点ブロック９と磁気ヘッド７とが上下方向で重なっている。すなわち、カード２の外部接続端子とＩＣ接点バネ５９との接触時に、前後方向から見ると、ＩＣ接点ブロック９と磁気ヘッド７との間にカード２が挟まれている。より具体的には、図６（Ｂ）に示すように、前後方向から見たときに２列に配列されるＩＣ接点バネ５９の一方の列のＩＣ接点バネ５９とカード２の外部接続端子との接触点をＰ１とし、他方の列のＩＣ接点バネ５９とカード２の外部接続端子との接触点をＰ２とすると、カード２の外部接続端子とＩＣ接点バネ５９との接触時に、前後方向から見ると、接触点Ｐ１と接触点Ｐ２との左右方向の中心と、磁気ヘッド７の左右方向の中心とが上下方向で重なっている。
【００６９】
（本形態の主な効果）
以上説明したように、本形態では、国際規格やＪＩＳ規格に準拠する磁気ストライプ２ａ付きのカード２において磁気ストライプ２ａの形成範囲の基準となるカード２の一端２ｄを当接部６６ａに当接させてカード２を位置決めした状態で、磁気ヘッド７を移動させて磁気データの読取や記録を行っている。そのため、本形態では、磁気データの読取や記録を行う際の磁気ヘッド７と磁気ストライプ２ａとの位置合わせを精度良く行うことが可能になる。したがって、本形態では、国際規格やＪＩＳ規格に準拠する磁気ストライプ２ａ付きのカード２をその短手方向で搬送して処理する場合であっても、磁気データの読取精度や記録精度の低下を抑制することが可能になる。
【００７０】
本形態では、当接面６６ｄに当接するカード２を下面側から支持する支持部６６ｃが当接部６６ａに形成されている。そのため、本形態では、搬送路５に開口部２８が形成されていても、一端２ｄ側が下側に向かって変形するカード２がカードリーダ１内に取り込まれたときに、変形したカード２の一端２ｄ側を支持部６６ｃで支持することが可能になり、搬送路５からのカード２の一端２ｄ側のずれ量を小さくすることが可能になる。したがって、本形態では、一端２ｄ側が下側に向かって変形するカード２がカードリーダ１内に取り込まれても、ヘッド退避位置からヘッド当接位置へ移動する磁気ヘッド７がカード２と当接するときのカード２のばたつきを抑制することが可能になる。
【００７１】
すなわち、一端２ｄ側が下側に向かって変形するカード２の一端２ｄ側が支持部６６ｃによって支持されていない場合には、図７（Ｂ）の二点鎖線で示すように、カード２の一端２ｄ側が搬送路５から下側へずれてしまい、その結果、ヘッド退避位置からヘッド当接位置へ移動する磁気ヘッド７がカード２と当接するときにカード２がばたつきやすくなるが、本形態では、ヘッド退避位置からヘッド当接位置へ移動する磁気ヘッド７がカード２と当接するときのカード２のばたつきを抑制することが可能になる。その結果、本形態では、一端２ｄ側が下側に向かって変形するカード２がカードリーダ１内に取り込まれても、磁気データの読取ジッタや記録ジッタの低下を抑制することが可能になり、磁気データの読取精度や記録精度の低下を抑制することが可能になる。
【００７２】
また、本形態では、当接面６６ｄに当接するカード２を下面側から支持する支持部６６ｃが当接部６６ａに形成されているため、カード２の外部接続端子とＩＣ接点バネ５９との接触時に、支持部６６ｃによってカード２を支持することができる。したがって、本形態では、カード２の外部接続端子とＩＣ接点バネ５９との接触時のカード２の支持力を確保することが可能になり、その結果、ＩＣ接点バネ５９とカード２の外部接続端子との接触圧を確保することが可能になる。
【００７３】
特に本形態では、カード２の外部接続端子とＩＣ接点バネ５９との接触時に、磁気ヘッド７が、ヘッド当接位置にあり、カード２の下面（裏面）に当接している。そのため、本形態では、搬送路５の、ＩＣ接点ブロック９のすぐ奥側に、磁気ヘッド７が通過する開口部２８が形成されていても、カード２の外部接続端子とＩＣ接点バネ５９との接触時に、支持部６６ｃに加えて、磁気ヘッド７によってカード２を支持して、カード２の支持力を高めることが可能になる。したがって、本形態では、カード２の外部接続端子とＩＣ接点バネ５９との接触圧を高めることが可能になる。
【００７４】
本形態では、支持部６６ｃの上端面は、前側に向かうにしたがって下方向へ傾斜する傾斜面となっている。そのため、本形態では、一端２ｄ側が下側に向かって変形するカード２がカードリーダ１内に取り込まれても、支持部６６ｃの上端面によって、カード２の一端２ｄを当接面６６ｄへ案内することが可能になる。
【００７５】
本形態では、位置決め部材６６の動きを検知するセンサ７０での検知結果に基づいて、前後方向においてカード２が位置決めされたことが検知されている。そのため、本形態では、位置決め部材６６に加えて、前後方向においてカード２が位置決めされたことを検知するための部材が設けられる場合と比較して、カードリーダ１の構成を簡素化することが可能になる。
【００７６】
本形態では、当接部６６ａの奥側に、搬送ローラ３３およびパッドローラ３６が配置されており、前後方向における搬送ローラ３２と搬送ローラ３３との距離は、カード２の短手方向の幅Ｗ１よりもわずかに短くなっている。また、本形態では、ソレノイド６９が駆動すると、当接部６６ａが搬送路５から退避する退避位置に移動して、搬送ローラ３３およびパッドローラ３６に向かってカード２が通過可能になる。そのため、本形態では、当接部６６ａを退避位置へ移動させれば、搬送ローラ３３とパッドローラ３６とによって、カードリーダ１のさらに奥側へカード２を搬送することが可能になる。したがって、本形態では、カードリーダ１の奥側において、カード２に対する各種の処理を行ったり、カード２を回収したりすることが可能になる。
【００７７】
（他の実施の形態）
上述した形態は、本発明の好適な形態の一例ではあるが、これに限定されるものではなく本発明の要旨を変更しない範囲において種々変形実施が可能である。
【００７８】
上述した形態において、図１１に示すように、支持部６６ｃの上側に、当接面６６ｄよりも前側へ突出する突出部６６ｈが形成されても良い。この場合には、突出部６６ｈの下端面は、前側に向かうにしたがって上方向へ傾斜する傾斜面となっている。すなわち、当接部６６ａの前端面に、左右方向から見たときに、奥側に向かうにしたがって上下方向の幅がしだいに狭くなる切欠き部６６ｊが形成されても良い。この場合には、切欠き部６６ｊの下側が支持部６６ｃとなっている。この場合には、一端２ｄ側が下側に向かって変形するカード２がカードリーダ１内に取り込まれた場合のみならず、一端２ｄ側が上側に向かって変形するカード２がカードリーダ１内に取り込まれた場合であっても、支持部６６ｃの上端面または突出部６６ｈの下端面によって、カード２の一端２ｄを当接面６６ｄへ案内することが可能になる。
【００７９】
上述した形態では、カード２の外部接続端子とＩＣ接点バネ５９との接触時に、磁気ヘッド７は、ヘッド当接位置にあり、カード２の下面に当接している。この他にもたとえば、カード２の外部接続端子とＩＣ接点バネ５９との接触時に、磁気ヘッド７がヘッド退避位置にあっても良い。
【００８０】
上述した形態では、磁気ヘッド７は、左右方向における両端側で搬送路５よりも下側へ退避している。この他にもたとえば、磁気ヘッド７は、左右方向における一端側のみで搬送路５よりも下側へ退避しても良い。この場合には、左右方向におけるカム板４５の一端側にのみカム４５ａが形成される。また、上述した形態では、センサ７０、７２は、光学式のセンサであるが、センサ７０、７２は、マイクロスイッチ等の機械式のセンサであっても良い。
【００８１】
上述した形態では、カード搬送機構６は、搬送ローラ３１〜３３およびパッドローラ３４〜３６等によって構成されている。この他にもたとえば、カード搬送機構６は、カード２の上面や下面に当接してカード２を搬送するベルト等によって構成されても良い。また、カード搬送機構６は、カード２を把持する把持機構およびこの把持機構を前後方向へ移動させる移動機構等によって構成されても良い。
【００８２】
上述した形態では、カード２は、厚さが０．７〜０．８ｍｍ程度の矩形状の塩化ビニール製のカードである。この他にもたとえば、カード２は、厚さが０．１８〜０．３６ｍｍ程度のＰＥＴ（ポリエチレンテレフタレート）カードであっても良いし、所定の厚さの紙カード等であっても良い。また、上述した形態では、カードリーダ１において、磁気ストライプ付きの接触式のＩＣカード２が処理されているが、ＩＣチップが内蔵されていない磁気ストライプ付きのカードがカードリーダ１で処理されても良い。この場合には、カードリーダ１は、ＩＣ接点ブロック９および金属センサ１９等を備えていなくても良い。
【００８３】
上述した形態では、カード２の裏面に磁気ストライプ２ａが形成されている。この他にもたとえば、カード２の裏面に代えて、あるいは、カード２の裏面に加えて、カード２のおもて面に磁気ストライプが形成されても良い。たとえば、ＪＩＳＸ６３０２の規格に準拠した磁気ストライプがカード２のおもて面に形成されても良い。カード２のおもて面のみに磁気ストライプが形成される場合には、搬送路５の上側に磁気ヘッド７が配置される。また、磁気ストライプ２ａに加えて、カード２のおもて面に磁気ストライプが形成される場合には、搬送路５の上側および下側の両方に磁気ヘッド７が配置される。
【符号の説明】
【００８４】
１  カードリーダ
２  カード
２ａ  磁気ストライプ
５  搬送路
６  カード搬送機構
７  磁気ヘッド
８  ヘッド移動機構
９  ＩＣ接点ブロック
１０  接点ブロック移動機構
２８  開口部
３３  搬送ローラ
５９  ＩＣ接点バネ
６６  位置決め部材
６６ａ  当接部
６６ｃ  支持部
６６ｊ  切欠き部
６７  退避機構
７０  センサ
Ｕ  カードの長手方向
Ｖ  カードの短手方向
Ｘ  カードの搬送方向
Ｘ１  カードの取込方向
Ｙ  搬送路の幅方向
Ｚ  カードの厚さ方向
【図１】
2014071603.tif 000003
【図２】
2014071603.tif 000004
【図３】
2014071603.tif 000005
【図４】
2014071603.tif 000006
【図５】
2014071603.tif 000007
【図６】
2014071603.tif 000008
【図７】
2014071603.tif 000009
【図８】
2014071603.tif 000010
【図９】
2014071603.tif 000011
【図１０】
2014071603.tif 000012
【図１１】
2014071603.tif 000013